(57)【要約】      （修正有）【課題】ＵＥまたはワイヤレス通信デバイスがサポートする性能をネットワークへに効率的に指示する方法および対応するデバイスを提供する。【解決手段】ワイヤレス通信デバイス１００は、第１の指示をワイヤレス通信ネットワークに提供する。第１の指示は、ワイヤレス通信デバイス１００の少なくとも２つの性能のセットを示す。さらに、ワイヤレス通信デバイス１００は、ワイヤレス通信デバイス１００が性能のうちの２つ以上の組合せをサポートするかどうかを判定し、第２の指示をワイヤレス通信ネットワークに提供する。第２の指示は、性能の組合せがワイヤレス通信デバイス１００によってサポートされるかどうかを示す。【選択図】図３
2020184777.tif 000002
【特許請求の範囲】
【請求項１】
ワイヤレス通信デバイス（１００）が第１の指示をワイヤレス通信ネットワークに提供することであって、前記第１の指示が、前記ワイヤレス通信デバイス（１００）の少なくとも２つの性能のセットを示す、前記第１の指示を提供することと、
前記ワイヤレス通信デバイスが（１００）が、前記ワイヤレス通信デバイス（１００）が前記性能のうちの２つ以上の組合せをサポートするかどうかを判定することと、
前記ワイヤレス通信デバイスが（１００）が第２の指示を前記ワイヤレス通信ネットワークに提供することであって、前記第２の指示が、前記性能の組合せが前記ワイヤレス通信デバイス（１００）によってサポートされるかどうかを示す、前記第２の指示を提供することと、
を含む、方法。
【請求項２】
前記ワイヤレス通信ネットワークに対するワイヤレス接続を維持しながら、前記ワイヤレス通信デバイス（１００）が、前記ワイヤレス通信デバイス（１００）の前記性能の組合せのサポートが変更されたと判定することと、第３の指示を前記ワイヤレス通信ネットワークに送ることであって、前記第３の指示が、前記性能の組合せの前記変更されたサポートを示す、送ることと、
を含む、請求項１に記載の方法。
【請求項３】
前記ワイヤレス通信デバイス（１００）が、前記ワイヤレス通信デバイス（１００）の現在の動作条件に応じて、前記性能の組合せが前記ワイヤレス通信デバイス（１００）によってサポートされるかどうかを判定する、
請求項１または２に記載の方法。
【請求項４】
前記第２の指示が、前記性能の事前設定された組合せに関して、前記事前設定された組合せがサポートされるかどうかを示す、少なくとも１つのインジケータを含む、
請求項１から３のいずれか一項に記載の方法。
【請求項５】
前記第２の指示が、性能の組合せの事前設定されたセットに対する少なくとも１つの制限の指示を含む、
請求項１から４のいずれか一項に記載の方法。
【請求項６】
前記第２の指示が、前記性能の事前設定されたセットを組合せの第１のサブセットに制限する第１の制限、および組合せの前記第１のサブセットを組合せの第２のサブセットにさらに制限する第２の制限の指示を含む、
請求項５に記載の方法。
【請求項７】
前記第１の指示および前記第２の指示が、同じメッセージ内で、または異なるメッセージ内で前記ワイヤレス通信デバイス（１００）から前記基地局ワイヤレス通信ネットワークに送信される、
請求項１から６のいずれか一項に記載の方法。
【請求項８】
前記第２の指示が、物理レイヤ制御シグナリングおよび／または媒体アクセス制御レイヤ制御シグナリングによって送信される、
請求項１から７のいずれか一項に記載の方法。
【請求項９】
ワイヤレス通信ネットワークの基地局（１５０）が、ワイヤレス通信デバイス（１００）の少なくとも２つの性能のセットを示す第１の指示を前記ワイヤレス通信デバイス（１００）から受信することと、
前記基地局（１５０）が第２の指示を前記ワイヤレス通信デバイス（１００）から受信することであって、前記第２の指示が、前記性能のうちの２つ以上の組合せが前記ワイヤレス通信デバイス（１００）によってサポートされるかどうかを示す、受信することと、
前記第１の指示および前記第２の指示に応じて、前記基地局（１５０）が、前記ワイヤレス通信デバイス（１００）の少なくとも１つのワイヤレス送信を制御することと、
を含む、方法。
【請求項１０】
前記ワイヤレス通信デバイス（１００）に対するワイヤレス接続を維持しながら、前記基地局（１５０）が、第３の指示を前記ワイヤレス通信デバイス（１００）から受信することであって、前記第３の指示が、前記ワイヤレス通信デバイス（１００）による前記性能の組合せのサポートが変更されたことを示す、受信すること
を含む、請求項９に記載の方法。
【請求項１１】
前記第２の指示が、前記性能の事前設定された組合せに関して、前記事前設定された組合せがサポートされているかどうかを示す少なくとも１つのインジケータを含む、
請求項９または１０に記載の方法。
【請求項１２】
前記第２の指示が、性能の組合せの事前設定されたセットに対する少なくとも１つの制限の指示を含む、
請求項９から１１のいずれか一項に記載の方法。
【請求項１３】
前記第２の指示が、前記性能の事前設定されたセットを組合せの第１のサブセットに制限する第１の制限、および組合せの前記第１のサブセットを組合せの第２のサブセットにさらに制限する第２の制限の指示を含む、
請求項１２に記載の方法。
【請求項１４】
前記第１の指示および前記第２の指示が、同じメッセージ内で、または異なるメッセージ内で前記ワイヤレス通信デバイス（１００）から前記基地局（１５０）に送信される、
請求項９から１３のいずれか一項に記載の方法。
【請求項１５】
前記第２の指示が、物理レイヤ制御シグナリングおよび／または媒体アクセス制御レイヤ制御シグナリングによって送信される、
請求項８から１２のいずれか一項に記載の方法。
【請求項１６】
ワイヤレス通信デバイス（１００）であって、
ワイヤレス通信ネットワークに接続するためのワイヤレスインターフェース（１１１０）と、
１つまたは複数のプロセッサ（１１４０）とを備え、前記１つまたは複数のプロセッサ（１１４０）が、
第１の指示を前記ワイヤレス通信ネットワークに提供することであって、前記第１の指示が、前記ワイヤレス通信デバイス（１００）の少なくとも２つの性能のセットを示す、前記第１の指示を提供することと、
前記ワイヤレス通信デバイス（１００）が前記性能のうちの２つ以上の組合せをサポートするかどうかを判定することと、
第２の指示を前記ワイヤレス通信ネットワークに提供することであって、前記第２の指示が、前記性能の組合せが前記ワイヤレス通信デバイス（１００）によってサポートされるかどうかを示す、前記第２の指示を提供することと
を行うように設定される、ワイヤレス通信デバイス（１００）。
【請求項１７】
前記少なくとも１つのプロセッサ（１１４０）が、請求項１から８のいずれか一項に記載の方法の前記ステップを実行するように設定される
請求項１６に記載のワイヤレス通信デバイス（１００）。
【請求項１８】
ワイヤレス通信ネットワークのための基地局（１５０）であって、
ワイヤレス通信デバイス（１００）に接続するためのワイヤレスインターフェース（１２１０）と、
１つまたは複数のプロセッサ（１２４０）とを備え、前記１つまたは複数のプロセッサ（１２４０）が、
前記ワイヤレス通信デバイス（１００）の少なくとも２つの性能のセットを示す第１の指示を前記ワイヤレス通信デバイス（１００）から受信することと、
第２の指示を前記ワイヤレス通信デバイス（１００）から受信することであって、前記第２の指示が、前記性能のうちの２つ以上の組合せが前記ワイヤレス通信デバイス（１００）によってサポートされるかどうかを示す、前記第２の指示を受信することと、
前記第１の指示および前記第２の指示に応じて、前記ワイヤレス通信デバイス（１００）の少なくとも１つのワイヤレス送信を制御することと、
を行うように設定される、基地局（１５０）
【請求項１９】
前記少なくとも１つのプロセッサ（１２４０）が、請求項９から１５のいずれか一項に記載の方法の前記ステップを実行するように設定される、
請求項１８に記載の基地局（１５０）。
【請求項２０】
システムであって、
ワイヤレス通信デバイス（１００）および基地局（１５０）
を備え、
前記ワイヤレス通信デバイス（１００）が、
第１の指示を前記基地局（１５０）に提供することであって、前記第１の指示が、前記ワイヤレス通信デバイス（１００）の少なくとも２つの性能のセットを示す、前記第１の指示を提供することと、
前記ワイヤレス通信デバイス（１００）が前記性能のうちの２つ以上の組合せをサポートするかどうかを判定することと、
第２の指示を前記基地局（１５０）に提供することであって、前記第２の指示が、前記性能の組合せが前記ワイヤレス通信デバイス（１００）によってサポートされるかどうかを示す、前記第２の指示を提供することと
を行うように設定され、
前記基地局（１５０）が、
前記第１の指示および前記第２の指示を受信し、
前記第１の指示および前記第２の指示に応じて、前記ワイヤレス通信デバイス（１００）の少なくとも１つのワイヤレス送信を制御する、
ように設定される、システム。
【発明の詳細な説明】
【技術分野】
【０００１】
本発明は、ワイヤレス通信ネットワークにおける送信を制御する方法、および対応するデバイスに関する。
【背景技術】
【０００２】
３ＧＰＰ（第３世代パートナーシッププロジェクト）によって指定されるＬＴＥ（ロングタームエボリューション）無線アクセス技術に基づくセルラーネットワークなど、ワイヤレス通信ネットワークにおいて、（ユーザ機器または「ＵＥ」とも呼ばれる）ワイヤレス通信デバイスは、（たとえば、モデム属性に関連する）多くの異なる性能を有し得る。ワイヤレス通信ネットワークに一定のＵＥによってサポートされる性能について認識させるために、ＵＥは、その性能をワイヤレス通信ネットワークに指示し、これは、一般に、ＵＥがワイヤレス通信ネットワークに登録するときに達成される。性能は、たとえば、メッセージの１つまたは複数の情報要素内に列挙されたパラメータまたはインジケータによって異なるフォーマットで指示され得る。
【０００３】
一般に、ＵＥは、たとえば、異なる変調および復調フォーマット、最大データ復調速度、３ＧＰＰ公開バージョン、周波数帯域サポート、またはデバイス間通信の中継またはサポートなど、特定の機能に関連し得る、複数の異なる性能を指示することができる。しかしながら、いくつかの性能に関して、組み合わされた利用は、一定の動作条件下で、実装が困難であるか、または可能でない場合がある。たとえば、ＵＥが別のＵＥに対する接続のための中継局として使用されている場合、組み合わせることが困難であり得るベースバンド動作が存在し得る。これは、一例として、ワイヤレス通信ネットワークからＵＥへの直接リンク上でサポートされ得る性能が１つまたは複数の他のＵＥへのサイドリンクがアクティブであるかどうかに依存する影響を有する場合があり、これは、直接リンク上で実際にサポートされ得る性能のかなり頻繁な変更をもたらし得る。
【０００４】
既存の技術では、ＵＥ性能は、しかしながら、かなり静的にネットワークに指示され、これは、サポートされる性能の頻繁な変更を処理する制限された可能性のみが存在することを意味する。たとえば、性能は、最初のネットワーク登録時に指示されてよく、いくつかのハンドオーバシナリオでは、ネットワークがＵＥ性能の問合せを送ることに応じてもよい。ＵＥサイドから性能情報の更新を開始するために、ＵＥは、ネットワークに再登録する必要があり得る。
【０００５】
Ｑｕａｌｃｏｍｍ、ＲＰ−１６０２７０、３ＧＰＰ  ＲＡＮ会議＃７１、Ｇｏｔｈｅｎｂｕｒｇ、Ｓｗｅｄｅｎ、２０１６年３月７日〜１０日による、３ＧＰＰ寄稿「Ｍｏｔｉｖａｔｉｏｎ  ｆｏｒ  ＷＩ  ｐｒｏｐｏｓａｌ  ｏｎ  Ｍｕｌｔｉ−ｐｒｏｆｉｌｅ  ＵＥ  ｃａｐａｂｉｌｉｔｙ  ｆｏｒ  ＬＴＥ」では、ＵＥに対する複数の性能プロファイルを設定することが提案されており、各プロファイルは、複数のサポートされる性能のセットを定義する。ＵＥは、その場合、ＲＲＣ（無線リソース制御）シグナリングを使用して、プロファイルをｅＮＢ（発展型ノードＢ）に示唆することができ、ｅＮＢは、プロファイルを選択し、ＲＲＣシグナリングを使用して、選択されたプロファイルをＵＥに指示することができる。しかしながら、この手法は、たとえば、一定の組合せのサポートが、ＵＥの現在利用されているリンク設定など、さらなる条件に応じて変化するシナリオに対処するための十分な柔軟性に欠ける場合がある。
【発明の概要】
【０００６】
したがって、ＵＥまたは同様のワイヤレス通信デバイスのサポートされる性能をワイヤレス通信ネットワークに効率的に指示することを可能にする技法の必要が存在する。
【０００７】
一実施形態によれば、ある方法が提供される。この方法によれば、ワイヤレス通信デバイスは、第１の指示をワイヤレス通信ネットワークに提供する。第１の指示は、ワイヤレス通信デバイスの少なくとも２つの性能のセットを示す。さらに、ワイヤレス通信デバイスは、ワイヤレス通信デバイスが性能のうちの２つ以上の組合せをサポートするかどうかを判定し、第２の指示をワイヤレス通信ネットワークに提供する。第２の指示は、性能の組合せがワイヤレス通信デバイスによってサポートされるかどうかを示す。このようにして、各性能が単独でサポートされるとしても、一定の条件下で、いくつかの性能の同時サポートを実装することが困難または不可能であり得ることを効率的に考慮に入れることができる。
【０００８】
一実施形態によれば、ワイヤレス通信デバイスは、ワイヤレス通信デバイスによる性能の組合せのサポートが変更されたと判定し、第３の指示をワイヤレス通信ネットワークに送ることができる。第３の指示は、性能の組合せの変更されたサポートを示す。ワイヤレス通信デバイスは、ワイヤレス通信ネットワークに対するワイヤレス接続を維持しながらこれを達成することができる。それに応じて、ワイヤレス通信ネットワークに対するワイヤレス通信デバイスの接続性を中断せずに、組合せのサポートの変更を動的に考慮することができる。
【０００９】
本発明の一実施形態によれば、ワイヤレス通信デバイスは、ワイヤレス通信デバイスの現在の動作条件に応じて、性能の組合せがワイヤレス通信デバイスによってサポートされるかどうかを判定する。このようにして、ワイヤレス通信デバイスの動作条件を動的に考慮に入れることができる。
【００１０】
さらなる実施形態によれば、ある方法が提供される。この方法によれば、ワイヤレス通信ネットワークの基地局は、第１の指示をワイヤレス通信デバイスから受信する。第１の指示は、ワイヤレス通信デバイスの少なくとも２つの性能のセットを示す。さらに、基地局は、第２の指示をワイヤレス通信デバイスから受信する。第２の指示は、性能のうちの少なくとも２つの組合せがサポートされるかどうかを示す。第１の指示および第２の指示に応じて、基地局は、無線デバイスの少なくとも１つのワイヤレス送信を制御する。このようにして、各性能が単独でサポートされるとしても、一定の条件下で、一定の性能の同時サポートを実装することが困難また不可能であり得ることを効率的に考慮に入れることができ、基地局は、ワイヤレス通信デバイスのワイヤレス送信を制御するとき、サポートされる組合せに基づく特徴を利用することができる。
【００１１】
一実施形態によれば、基地局は、第３の指示をワイヤレス通信デバイスから受信する。第３の指示は、ワイヤレス通信デバイスによる性能の組合せのサポートが変更されたことを示す。これは、ワイヤレス通信デバイスに対するワイヤレス接続を維持しながら達成され得る。したがって、ワイヤレス通信デバイスのワイヤレス送信を制御するとき、基地局は、ワイヤレス通信ネットワークに対するワイヤレス通信デバイスの接続性を中断せずに、組合せのサポートの変更を動的に考慮することができる。
【００１２】
さらなる実施形態によれば、ワイヤレス通信デバイスが提供される。ワイヤレス通信デバイスは、ワイヤレス通信ネットワークに接続するためのワイヤレスインターフェースを備える。さらに、ワイヤレス通信デバイスは、１つまたは複数のプロセッサを備え、１つまたは複数のプロセッサは、
第１の指示をワイヤレス通信ネットワークに提供することであって、第１の指示が、ワイヤレス通信デバイスの少なくとも２つの性能のセットを示す、提供することと、
ワイヤレス通信デバイスが性能の２つ以上の組合せをサポートするかどうかを判定することと、
第２の指示をワイヤレス通信ネットワークに提供することであって、第２の指示が、性能の組合せがワイヤレス通信デバイスによってサポートされるかどうかを示す、提供することと
を行うように設定される。
【００１３】
ワイヤレス通信デバイスの少なくとも１つのプロセッサは、上述の方法においてワイヤレス通信デバイスによって実行されるようなステップを実行するように設定され得る。
【００１４】
特に、ワイヤレス通信デバイスの少なくとも１つのプロセッサは、ワイヤレス通信ネットワークに対するワイヤレス接続を維持しながら、ワイヤレス通信デバイスによる性能の組合せのサポートが変更されたことを判定することと、第３の指示をワイヤレス通信ネットワークに送ることであって、第３の指示が、性能の組合せの変更されたサポートを示す、送ることとを行うように設定され得る。
【００１５】
加えてまたは代替として、ワイヤレス通信デバイスの少なくとも１つのプロセッサは、ワイヤレス通信デバイスの現在の動作条件に応じて、性能の組合せがワイヤレス通信デバイスによってサポートされるかどうかを判定するように設定され得る。
【００１６】
さらなる実施形態によれば、ワイヤレス通信ネットワークに対する基地局が提供される。基地局は、ワイヤレス通信デバイスに対するワイヤレスインターフェースを備える。さらに、基地局は、１つまたは複数のプロセッサを備え、１つまたは複数のプロセッサは、
ワイヤレス通信デバイスの少なくとも２つの性能のセットを示す第１の指示をワイヤレス通信デバイスから受信することと、
第２の指示をワイヤレス通信デバイスから受信することであって、第２の指示が、性能のうちの２つ以上の組合せがワイヤレス通信デバイスによってサポートされるかどうかを示す、受信することと、
第１の指示および第２の指示に応じて、ワイヤレス通信デバイスの少なくとも１つのワイヤレス送信を制御することと
を行うように設定される。
【００１７】
基地局の少なくとも１つのプロセッサは、上述の方法において基地局によって実行されるようなステップを実行するように設定され得る。
【００１８】
特に、基地局の少なくとも１つのプロセッサは、ワイヤレス通信デバイスに対するワイヤレス接続を維持しながら、第３の指示をワイヤレス通信デバイスから受信することであって、第３の指示が、ワイヤレス通信デバイスによる性能の組合せのサポートが変更されたことを示す、受信することを行うように設定され得る。
【００１９】
さらなる実施形態によれば、システムが提供される。このシステムは、ワイヤレス通信デバイスおよび基地局を備える。ワイヤレス通信デバイスは、第１の指示を基地局に提供するように設定される。第１の指示は、ワイヤレス通信デバイスの少なくとも２つの性能のセットを示す。さらに、ワイヤレス通信デバイスは、そのワイヤレス通信デバイスが、性能のうちの２つ以上の組合せをサポートするかどうかを判定し、第２の指示を基地局に提供するように設定される。第２の指示は、性能の組合せがワイヤレス通信デバイスによってサポートされるかどうかを示す。基地局は、第１の指示および第２の指示を受信し、第１の指示および第２の指示に応じて、ワイヤレス通信デバイスの少なくとも１つのワイヤレス送信を制御するように設定される。ワイヤレス通信デバイスは、上記の実施形態で説明したように動作するように設定され得る。
【００２０】
方法、ワイヤレス通信デバイス、基地局、およびシステムの上記の実施形態では、第２の指示は、性能の少なくとも１つの事前設定された組合せに関して、事前設定された組合せがサポートされるかどうかを示す、少なくとも１つのインジケータを含み得る。インジケータおよび組合せの事前設定によって、組合せのサポートは、低オーバーヘッドでシグナリングされ得る。そのような事前設定された組合せは、工場出荷時設定（ｆａｃｔｏｒｙ  ｓｅｔｔｉｎｇ）および／またはワイヤレス通信デバイスのオペレータ定義設定（ｏｐｅｒａｔｏｒ  ｄｅｆｉｎｅｄ  ｓｅｔｔｉｎｇ）の一部として記憶され得る。
【００２１】
さらに、第２の指示は、性能の組合せの事前設定されたセットに対する少なくとも１つの制限の指示を含み得る。特に、第２の指示は、性能の事前設定されたセットを組合せの第１のサブセットに制限する第１の制限、および組合せの第１のサブセットを組合せの第２のサブセットにさらに制限する第２の制限の指示を含み得る。それに応じて、サポートされる組合せの階層組織が仮定され、事前設定されたセットからの制限を指示することによって効率的にシグナリングされ得る。事前設定されたセットは、ワイヤレス通信デバイスの工場出荷時設定および／またはワイヤレス通信デバイスのオペレータ定義設定に基づき得る。
【００２２】
さらに、第１の指示および第２の指示は、異なるメッセージ内でワイヤレス通信デバイスからワイヤレス通信ネットワーク、特に、上述の基地局に送信され得る。
【００２３】
さらに、第２の指示は、物理レイヤ制御シグナリングおよび／または媒体アクセス制御レイヤ制御シグナリングによって送信され得る。
【００２４】
次に、本発明の上記の実施形態およびさらなる実施形態について、添付の図面を参照して、より詳細に説明する。
【図面の簡単な説明】
【００２５】
【図１】本発明の一実施形態によるワイヤレス通信ネットワークシステムを概略的に示す図である。
【図２】ＵＥの性能のセットを指示するために本発明の一実施形態に従って使用されるビットマップを概略的に示す図である。
【図３】本発明の一実施形態によるプロセスの一例を示す図である。
【図４】本発明の一実施形態によるプロセスのさらなる例を示す図である。
【図５】ＵＥの性能のセットおよびこのセットからの性能のサポートされる組合せを指示するために本発明の一実施形態に従って使用されるビットマップを概略的に示す図である。
【図６】本発明の一実施形態によるプロセスのさらなる例を示す図である。
【図７】本発明の一実施形態に従って使用される性能の組合せのセットの制限を概略的に示す図である。
【図８】図７の制限に基づいて性能のサポートされる組合せが指示される、本発明の一実施形態によるプロセスのさらなる例を示す図である。
【図９】ワイヤレス通信デバイスによって実装され得る、本発明の一実施形態による１つの方法を示すためのフローチャートである。
【図１０】基地局によって実装され得る、本発明の一実施形態によるさらなる方法を示すためのフローチャートである。
【図１１】本発明の一実施形態による、ワイヤレス通信デバイスのプロセッサベースの実装を概略的に示す図である。
【図１２】本発明の一実施形態による基地局のプロセッサベースの実装を概略的に示す図である。
【発明を実施するための形態】
【００２６】
以下では、本発明の例示的な実施形態が詳細に説明される。以下の説明は、本発明の原理を示すためにのみ与えられ、制限的な意味で解釈されるべきではないことを理解されたい。むしろ、本発明の範囲は、添付の特許請求の範囲によってのみ定義され、以下で説明する例示的な実施形態によって限定されることを意図しない。
【００２７】
示される実施形態は、ワイヤレス通信ネットワークにおいて、以下でＵＥと呼ばれるワイヤレス通信デバイスの複数の性能のサポートを効率的に扱うことに関する。ワイヤレス通信ネットワークは、ＬＴＥワイヤレスアクセス技術に基づくセルラーネットワークであり得る。しかしながら、他のワイヤレス通信技術を同様に利用することが可能である。したがって、以下の説明において、「ワイヤレス通信」は、無線通信に対応し得るが、無線通信に限定されない。これは、ＵＥが複数のサポートされる性能のセットを指示し得る手段である第１の指示、およびＵＥがセットからの２つ以上の性能の１つまたは複数の組合せがサポートされるか否かを指示し得る手段である第２の指示を使用することによって達成され得る。このようにして、１つの性能を利用する可能性が１つまたは複数の他の性能の利用に依存するシナリオに効率的に対応することが可能になる。これらの２つの指示は、１つのメッセージ内で送られてもよく、または複数のメッセージ内で送られてもよい。
【００２８】
図１は、これらの概念が利用され得る１つの例示的なシナリオを概略的に示す。図１のシナリオは、ＵＥ１００、さらなるＵＥ１１０、ＩｏＴデバイス１２０、および基地局１５０を必要とする。ＵＥ１００と、さらなるＵＥ１１０と、ＩｏＴデバイス１２０と、基地局１５０との間のワイヤレス通信は、ＬＴＥ無線アクセス技術に基づき得る。しかしながら、他の無線アクセス技術またはワイヤレス通信技術、たとえば、５Ｇ（第５世代）無線アクセス技術またはＮＲ（ニューラジオ）技術を同様に利用することができることを理解されたい。図１の例では、ＵＥ１００は、基地局１５０とさらなるＵＥ１１０との間のリンクおよび／または基地局１５０とＩｏＴデバイスとの間のリンクを確立するための中継局として利用され得ると仮定される。以下において、基地局１５０とＵＥ１００との間のリンクは「直接リンク」とも呼ばれ、ＵＥ１００とさらなるＵＥ１１０またはＩｏＴデバイス１２０との間のリンクは「サイドリンク」と呼ばれる。ＵＥ１００のいくつかの性能は直接リンクに関係し得るが、ＵＥ１００の他の性能はサイドリンクに関係し得る。ＵＥ１００の直接リンクおよびサイドリンクは、一般に、同じ無線回路を利用するため、サイドリンクおよび直接リンクの同時利用に関して制限が存在し得る。具体的には、直接リンクに関係する性能は、１つまたは複数のサイドリンクがアクティブ化されているかどうか（または、そのようなサイドリンクに対して利用される性能）に依存し得る。以下では、それに従ってそのような異なる性能およびそのサポートされる組合せがＵＥ１００から基地局１５０に効率的に指示され得る例がより詳細に説明される。
【００２９】
図２は、ワイヤレス通信ネットワークに自らの性能を指示するためにＵＥ１００によって使用され得るビットマップ２００の一例を示す。自らの性能をワイヤレス通信ネットワークに指示するために、ＵＥ１００はビットマップ２００を基地局１５０に送ることができる。これは、ＵＥ１００がワイヤレス通信ネットワークに最初に登録するとすぐに達成され得る。しかしながら、いくつかのシナリオでは、ビットマップ２００は、後の時点で送られてもよい。たとえば、ＵＥ１００は、たとえば、自らの性能の更新を指示するために、ワイヤレス通信ネットワークに対する接続を維持しながらビットマップを送信することができる。示すように、ビットマップ２００は、そこから１つまたは複数のビットのサブセットが、一定の性能がＵＥ１００によってサポートされるか否か、および、オプションで、どの方法でサポートされるかを指示する、複数のビットを含む。たとえば、「１」の単一のビットは、性能がサポートされることを指示し得る。複数のビットのサブセットは、一定の性能をサポートする複数のオプション、（たとえば、サポートなし、基本的なサポート、および完全なサポートを区別する）サポートのレベル、および／または性能に関係する１つまたは複数のパラメータ（たとえば、性能を使用するときの最大サポートビットレート）のうちの１つを指示し得る。ビットマップ２００内のビット位置への性能のマッピングは、ＵＥ１００および基地局１５０内で事前設定され得る。そのような事前設定は、電気通信規格に基づいてよく、工場出荷時設定またはオペレータ定義設定に基づいてよい。したがって、一定の性能のサポートは、（たとえば、「サポートされる」または「サポートされない」のいずれかを指示する単一のビットによって）２進方式で指示されてよいが、たとえば、サポートのレベル、選択されるオプション、または性能に関係する１つまたは複数のパラメータを指示するために、複数のビットによって指示されてもよい。
【００３０】
図３は、ＵＥ１００の性能およびこれらの性能のサポートされる組合せを指示するためにＵＥ１００および基地局１５０によって実装され得るプロセスの一例を示す。
【００３１】
３０１によって示されるように、ＵＥ１００は、ワイヤレス通信ネットワークへの登録および／またはワイヤレス通信ネットワークとの接続のセットアップを最初に実行することができる。このプロセスの過程で、またはこのプロセスに応じて、ＵＥ１００は、メッセージ３０２によって示されるように、自らの性能の指示を基地局１５０に送ることができる。たとえば、メッセージ３０２は、図２に関して説明したようなビットマップを含み得る。示される例では、ＵＥ１００は、複数の性能、すなわち、性能のセットを指示すると仮定される。例として、これらの性能は、１つまたは複数のサイドリンクを介した上述の中継のサポート、二重接続性のサポート、すなわち、ワイヤレス通信ネットワークの異なる基地局に対する接続の同時利用、またはキャリアアグリゲーションのサポート、すなわち、ワイヤレス通信ネットワークに対する接続を確立するための複数のキャリアの同時利用を含み得る。
【００３２】
ブロック３０３によって示されるように、ＵＥ１００は、次いで、メッセージ３０２によって指示される性能のどの組合せがＵＥ１００によってサポートされるかを判定することができる。この判定は、ＵＥ１００の現在の動作条件に依存し得る。たとえば、ＵＥ１００が、たとえば、図１に示されるように、さらなるＵＥ１１０またはＩｏＴデバイス１２０に対する中継局として動作するように現在設定されている場合、これは、二重接続またはキャリアアグリゲーションの利用を制限し得る。
【００３３】
ＵＥ１００は、次いで、メッセージ３０４によって示されるように、判定の結果を基地局１５０に指示する。具体的には、メッセージ３０４は、メッセージ３０２によって指示される性能のどの組合せがＵＥ１００によって現在サポートされているかを指示する。ここで、これらの性能のうちの２つの組合せが考慮され得る。しかしながら、３つ以上の性能の組合せを考慮することも可能である。サポートされる組合せは、さらなるビットマップによって指示され得る。たとえば、考えられる組合せのセットを事前設定することが可能であり、さらなるビットマップからの１つまたは複数のビットのサブセットが、性能の一定の組合せがＵＥ１００によってサポートされるか否か、および、またオプションで、性能の一定の組合せがＵＥ１００によってどの方法でサポートされるかを指示することができる。たとえば、「１」の単一のビットは、その組合せがサポートされることを指示し得る。複数のビットのサブセットは、一定の組合せをサポートする複数のオプション、（たとえば、サポートなし、基本的なサポート、および完全なサポートを区別する）サポートのレベル、および／またはサポートされる組合せに関係する１つまたは複数のパラメータ（たとえば、組合せを使用するときの最大サポートビットレート）のうちの１つを指示し得る。ビットマップ内のビット位置への組合せのマッピングは、ＵＥ１００および基地局１５０内で事前設定され得る。そのような事前設定は、電気通信規格に基づいてよく、工場出荷時設定またはオペレータ定義設定に基づいてよい。サポートされる組合せを指示するためにビットマップを使用することによって、サポートされる組合せを指示するために、下位レイヤシグナリングを使用することができる。たとえば、サポートされる組合せは、物理レイヤ制御シグナリングによって、かつ／またはＭＡＣ（媒体アクセス制御）レイヤシグナリングによって指示され得る。しかしながら、たとえば、性能のうちの２つ以上、およびそれらの性能をどのように組み合わせることができるかを明示的に識別する表の形式で、サポートされる組合せを、たとえば、ＲＲＣメッセージ内で指示するさらにフレキシブルな方式を利用することも可能であることに留意されたい。したがって、性能の一定の組合せのサポートは、（たとえば、「サポートされる」または「サポートされない」のいずれかを指示する単一のビットによって）２進方式で指示されてよいが、たとえば、サポートのレベル、選択されるオプション、または性能の組合せに関係する１つまたは複数のパラメータを指示するために、複数のビットによって指示されてもよい。
【００３４】
基地局１５０は、次いで、メッセージ３０２によって指示された、サポートされる性能、およびメッセージ３０４によって指示された、サポートされる組合せに基づいて、ＵＥ１００のワイヤレス通信を制御することができる。３０５によって示されるように、これは、ＵＥ１００と基地局１５０との間のワイヤレス通信を制御することを必要とし得る。しかしながら、これは、ＵＥ１００への、およびＵＥ１００からのサイドリンク送信など、他のワイヤレス通信を制御することをやはり必要とし得る。
【００３５】
図３の例では、ＵＥ１００の性能およびサポートされる組合せは、別個のメッセージ内で指示される。これは、たとえば、ＵＥ１００のハードウェア特徴によって判定される、ＵＥ１００の性能が静的であるシナリオにおいて特に有益であり得るが、異なる性能が実際にどのように利用されるかに応じて、性能の考えられる組合せは動的に変化し得る。しかしながら、いくつかのシナリオでは、ＵＥ１００の性能およびサポートされる組合せを同じメッセージ内で指示することも可能である。対応する例が図４に示されている。
【００３６】
やはり図４の例では、ＵＥ１００は、４０１によって示されるように、ワイヤレス通信ネットワークへの登録および／またはワイヤレス通信ネットワークとの接続のセットアップを最初に実行することができる。
【００３７】
ＵＥ１００は、複数の性能、すなわち、性能のセットを有すると仮定される。これらの性能は、１つまたは複数のサイドリンクを介した上述の中継のサポート、二重接続のサポート、またはキャリアアグリゲーションのサポートを含み得る。ブロック４０２によって示されるように、ＵＥ１００は、次いで、自らの性能のどの組合せがＵＥ１００によってサポートされるかを判定することができる。この判定は、ＵＥ１００の現在の動作条件に依存し得る。たとえば、ＵＥ１００が、たとえば、図１に示されるように、さらなるＵＥ１１０またはＩｏＴデバイス１２０に対する中継局として動作するように現在設定されている場合、これは、二重接続性またはキャリアアグリゲーションの利用を制限し得る。
【００３８】
ＵＥ１００は、次いで、メッセージ４０３によって示されるように、自らの性能の指示およびこれらの性能のサポートされる組合せの指示を基地局１５０に送ることができる。たとえば、メッセージ４０３は、図２に関して説明したようなビットマップを含み得る。さらに、メッセージ４０３は、ブロック４０２の判定の結果を基地局１５０に指示する。すなわち、メッセージ４０３は、メッセージ４０３によって指示される性能のどの組合せがＵＥ１００によってサポートされるかをやはり指示する。ここで、これらの性能のうちの２つの組合せが考慮され得る。しかしながら、３つ以上の性能の組合せを考慮することも可能である。サポートされる組合せは、さらなるビットマップによって、またはサポートされる性能を指示するために使用されるビットマップの拡張の形で指示され得る。後者のオプションの場合に使用され得る拡張ビットマップ５００の一例が図５に示されている。
【００３９】
図５に示されるように、ビットマップ５００は、そこから１つまたは複数のビットのサブセットが、一定の性能がＵＥ１００によってサポートされるか否か、および、またオプションで、どの方法でサポートされるかを指示する、複数のビットを含む。たとえば、「１」の単一のビットは、性能がサポートされることを指示し得る。複数のビットのサブセットは、一定の性能をサポートする複数のオプション、（たとえば、サポートなし、基本的なサポート、および完全なサポートを区別する）サポートのレベル、および／または性能に関係する１つまたは複数のパラメータ（たとえば、性能を使用するときの最大サポートビットレート）のうちの１つを指示し得る。ビットマップ５００内のビット位置への性能のマッピングは、ＵＥ１００および基地局１５０内で事前設定され得る。そのような事前設定は、電気通信規格に基づいてよく、工場出荷時設定またはオペレータ定義設定に基づいてよい。さらに、ビットマップ５００は、各々が、性能の一定の組合せがサポートされるか否かを指示する、１つまたは複数のビットを含む。ビットマップ５００内のビット位置への組合せのマッピングは、ＵＥ１００および基地局１５０内で事前設定され得る。そのような事前設定は、電気通信規格に基づいてよく、工場出荷時設定またはオペレータ定義設定に基づいてよい。サポートされる性能とこれらの性能のサポートされる組合せの両方を指示するための単一のビットマップの利用は、低シグナリングオーバーヘッドを達成することを可能にし得る。サポートされる性能およびサポートされる組合せの両方の変更の頻繁な動的シグナリングが必要とされる場合、これは有益であり得る。しかしながら、性能およびサポートされる組合せを同じメッセージ内に、たとえば、性能およびそれらの性能をどのように組み合わせることができるかを明示的に識別する表の形式で、指示するよりフレキシブルな方式を利用することも可能であることに留意されたい。
【００４０】
基地局１５０は、次いで、メッセージ４０３によって指示された、サポートされる性能およびサポートされる組合せに基づいて、ＵＥ１００のワイヤレス通信を制御することができる。４０４によって示されるように、これは、ＵＥ１００と基地局１５０との間のワイヤレス通信を制御することを必要とし得る。しかしながら、これは、ＵＥ１００への、およびＵＥ１００からのサイドリンク送信など、他のワイヤレス通信を制御することをやはり必要とし得る。
【００４１】
上述のように、サポートされる組合せは、動的にＵＥ１００の現在の動作条件に依存し得る。したがって、ＵＥ１００は、性能のどの組合せがサポートされるかを繰り返し再判定し、サポートされる組合せの対応する指示をワイヤレス通信ネットワークに提供することができる。対応するプロセスの一例が図６に示されている。
【００４２】
図６の例では、ＵＥ１００は、ワイヤレス通信ネットワークへの登録および／またはワイヤレス通信ネットワークとの接続のセットアップを最初に実行することができる。このプロセスの過程で、またはこのプロセスに応じて、ＵＥ１００は、メッセージ６０２によって示されるように、自ら性能の指示を基地局１５０に送ることができる。たとえば、メッセージ６０２は、図２に関して説明したようなビットマップを含み得る。示された例では、ＵＥ１００は、複数の性能、すなわち、性能のセットを指示すると仮定される。例として、これらの性能は、１つまたは複数のサイドリンクを介した上述の中継のサポート、二重接続性のサポート、またはキャリアアグリゲーションのサポートを含み得る。
【００４３】
ブロック６０３によって示されるように、ＵＥ１００は、次いで、メッセージ６０２によって指示される性能のどの組合せがＵＥ１００によって現在サポートされているかを判定することができる。この判定は、ＵＥ１００の現在の動作条件に依存する。たとえば、ＵＥ１００が、図１に示されたように、たとえば、さらなるＵＥ１１０またはＩｏＴデバイス１２０に対する中継局として動作するように現在設定されている場合、これは二重接続性またはキャリアアグリゲーションの利用を制限し得る。
【００４４】
ＵＥ１００は、次いで、メッセージ６０４によって示されるように、ブロック６０３の判定の結果を基地局１５０に指示する。具体的には、メッセージ６０４は、メッセージ６０２によって指示された性能のどの組合せがＵＥ１００によって現在サポートされているかを指示する。メッセージ６０４は、メッセージ３０４と同様であってよく、サポートされる組合せがどのようにメッセージ６０４内で指示され得るかに関する詳細は、したがって、メッセージ３０４に関する上記の説明から理解することができる。
【００４５】
基地局１５０は、メッセージ６０２によって指示された、サポートされる性能、およびメッセージ６０４によって指示された、サポートされる組合せに基づいて、ＵＥ１００のワイヤレス通信を制御することができる。６０５によって示されるように、これは、ＵＥ１００と基地局１５０との間のワイヤレス通信を制御することを必要とし得る。しかしながら、これは、ＵＥ１００への、およびＵＥ１００からのサイドリンク送信など、他のワイヤレス通信を制御することをやはり必要とし得る。
【００４６】
ある時点で、ＵＥ１００は、次いで、ブロック６０６によって指示されるように、性能のサポートされる組合せが変更されたことを判定することができる。ブロック６０３の判定と同様に、ブロック６０６の判定は、ＵＥ１００の現在の動作条件を考慮することに基づく。サポートされる組合せの変更は、たとえば、ＵＥ１００が一定の性能のアクティブな利用を開始することによる場合があるか、またはＵＥ１００が一定の性能のアクティブな利用を中断することによる場合もある。
【００４７】
ＵＥ１００は、次いで、メッセージ６０７によって示されるように、ブロック６０６の判定の結果を基地局１５０に指示する。具体的には、メッセージ６０７は、メッセージ６０２によって指示された性能のどの組合せがＵＥ１００によって現在サポートされているかを指示する。メッセージ６０７は、メッセージ３０４と同様であってよく、サポートされる組合せがメッセージ６０７内でどのように指示され得るかに関する詳細は、したがって、メッセージ３０４に関する上記の説明から理解することができる。
【００４８】
基地局１５０は、次いで、メッセージ６０２によって指示された、サポートされる性能、およびメッセージ６０７によって指示された、サポートされる組合せに基づいて、ＵＥ１００のワイヤレス通信を制御することができる。６０８によって示されるように、これは、ＵＥ１００と基地局１５０との間のワイヤレス通信を制御することを必要とし得る。しかしながら、これは、ＵＥ１００への、およびＵＥ１００からのサイドリンク送信など、他のワイヤレス通信を制御することをやはり必要とし得る。
【００４９】
いくつかのシナリオでは、サポートされる組合せは、組合せの事前設定されたセットに対する制限によってやはり指示され得る。これらの制限は、階層的に導入され得、すなわち、１つの制限は、組合せのサブセットを定義し得、１つまたは複数のさらなる制限は、このサブセットをさらに制限するために使用され得る。考えられる制限も同様に事前設定され得る。たとえば、そのような事前設定は、電気通信規格に基づいてよく、工場出荷時設定およびオペレータ定義設定に基づいてよい。組合せの事前設定されたセットから開始し、考えられる制限を定義することによって、組合せの考えられる最大セットからのダウングレード経路上の位置によって、互いに対する性能の一般的な依存性を非常に効率的に表すことができる。組合せのセットおよび考えられる制限がどのように組織され得るかの一例が図７に示されている。
【００５０】
図７に示すように、ビットマップ７００は、ＵＥ１００によってサポートされる（この例では、Ａ、Ｂ、Ｃ、Ｄ、Ｅ、Ｆ、Ｇ、・・・によって指定される）複数の性能のセットを指示するために使用され得る。さらに、これらの性能の組合せの最大セットが定義される。たとえば、組合せのこの最大セットは、すべての考えられる組合せを含み得る。組合せの最大セットは、それに関してＵＥ１００から何の明示的な指示も要求されない、サポートされる組合せのレガシー設定に対応し得る。組合せの最大セットから開始して、制限が定義される。各制限は、組合せの考えられる最大セットから１つまたは複数の組合せを除外し、それにより、考えられる組合せの対応するサブセットを定義する。図７の例では、第１の制限（制限１）は、性能Ａおよび性能Ｂの組合せがサポートされないことを定義する。第２の制限（制限２）は、性能Ａおよび性能Ｅの組合せがサポートされないことを定義する。第３の制限（制限３）は、性能Ａおよび性能Ｃの組合せがサポートされないことを定義する。第１の制限、第２の制限、および第３の制限は、代替では適用され得る第１の階層レベルの制限である。さらに、第１の制限に加えて、性能Ｃおよび性能Ｄの組合せもサポートされないことを定義する第４の制限が適用され得る（それにより、性能Ａおよび性能Ｂの組合せ、および性能Ｃおよび性能Ｄの組合せがサポートされないことを効率的に定義する）。さらに、第３の制限に加えて、性能Ｃおよび性能Ｄの組合せがサポートされないことをやはり定義する第５の制限が適用され得る（それにより、性能Ａおよび性能Ｃの組合せ、および性能Ｃおよび性能Ｄの組合せがサポートされないことを効率的に定義する）。第４の制限および第５の制限は、第１の階層レベルの対応する制限に加えて適用され得る第２の階層レベルの制限である。
【００５１】
考えられる組合せの最大セットに対する制限は、サポートされる組合せの動的な変更を効率的に指示するために利用され得る。特に、サポートされる性能の大きなセットおよび多数の考えられる組合せの場合でさえ、実際にサポートされる組合せは、考えられる最大セットに適用される制限を単に識別することによって効率的に指示され得る。たとえば、制限は、インデックスによって識別され得る。対応するプロセスの例が図８に示されている。
【００５２】
図８の例では、ＵＥ１００は、ワイヤレス通信ネットワークへの登録および／またはワイヤレス通信ネットワークとの接続のセットアップを最初に実行することができる。このプロセスの過程で、またはこのプロセスに応じて、ＵＥ１００は、メッセージ８０２によって示されるように、自らの性能の指示を基地局１５０に送ることができる。たとえば、メッセージ８０２は、図７に関して説明したようなビットマップを含み得る。示された例では、ＵＥ１００は、性能Ａ、Ｂ、Ｃ、およびＤの少なくともサポートを指示すると仮定される。
【００５３】
ブロック８０３によって示されるように、ＵＥ１００は、メッセージ８０２によって指示された性能のどの組合せがＵＥ１００によって現在サポートされるかを判定することができる。この判定は、ＵＥ１００の現在の動作条件に依存し、考えられる組合せの最大セットにどの制限（たとえば、制限３）を適用するかを識別することに対応する。
【００５４】
ＵＥ１００は、次いで、メッセージ８０４によって示されるように、ブロック８０３の判定の結果を基地局１５０に指示する。具体的には、メッセージ８０４は、考えられる組合せの最大セットにどの制限が適用されるかを指示する。メッセージ８０４は、適用される複数の制限を指示することもできる。示された例では、メッセージ８０４は、制限３が考えられる組合せの最大セットに適用されることを指示すると仮定される。
【００５５】
基地局１５０は、次いで、メッセージ８０２によって指示された、サポートされる性能、およびメッセージ８０４によって指示された、サポートされる組合せに基づいて、ＵＥ１００のワイヤレス通信を制御することができる。８０５によって示されるように、これは、ＵＥ１００と基地局１５０との間のワイヤレス通信を制御することを必要とし得る。しかしながら、これは、ＵＥ１００への、およびＵＥ１００からのサイドリンク送信など、他のワイヤレス通信を制御することをやはり必要とし得る。
【００５６】
この時点で、ＵＥ１００は、次いで、ブロック８０６によって指示されるように、性能のサポートされる組合せが変更されたと判定することができる。ブロック８０３の判定と同様に、ブロック８０６の判定は、ＵＥ１００の現在の動作条件を考慮することに基づく。サポートされる組合せの変更は、たとえば、ＵＥ１００が一定の性能をアクティブに利用することを開始することによる場合があるか、またはＵＥ１００が一定の性能のアクティブな利用を中断することによる場合がある。ステップ８０６の判定は、このとき、どの制限が考えられる組合せの最大セットに適用されるかを識別することに対応する。これは、適用される、１つまたは複数の追加の制限を識別すること、およびもはや適用されない、１つまたは複数の制限を識別することを必要とし得る。図８の例では、ＵＥ１００は、このとき、制限３に加えて、制限５が適用されることを識別すると仮定される。
【００５７】
ＵＥ１００は、次いで、メッセージ８０７によって示されるように、ブロック８０６の判定の結果を基地局１５０に指示する。具体的には、メッセージ８０７は、このとき、考えられる組合せの最大セットに適用される制限（示された例では、制限３および制限５）を指示する。
【００５８】
基地局１５０は、次いで、メッセージ８０２によって指示された、サポートされる性能、およびメッセージ８０７によって指示された、サポートされる組合せに基づいて、ＵＥ１００のワイヤレス通信を制御することができる。８０８によって示されるように、これは、ＵＥ１００と基地局１５０との間のワイヤレス通信を制御することを必要とし得る。しかしながら、これは、ＵＥ１００への、およびＵＥ１００からのサイドリンク送信など、他のワイヤレス通信を制御することをやはり必要とし得る。
【００５９】
図９は、ワイヤレス通信ネットワーク、たとえば、セルラーネットワーク内のワイヤレス通信を制御するために使用され得る１つの方法を示すフローチャートを示す。図９の方法によって、ワイヤレス通信デバイス、たとえば、上述のＵＥ１００は、上記で説明した概念を実装することができる。ワイヤレス通信デバイスのプロセッサベースの実装が利用される場合、この方法のステップの少なくとも一部分は、ワイヤレス通信デバイスの１つまたは複数のプロセッサによって実行および／または制御され得る。
【００６０】
ステップ９１０において、ワイヤレス通信デバイスは、第１の指示をワイヤレス通信ネットワークに提供する。第１の指示は、ワイヤレス通信デバイスの少なくとも２つの性能のセットを示す。性能は、３ＧＰＰによって指定されるＵＥ性能など、標準化された性能のグループから選択され得る。例として、第１の指示は、例として、図２、図５、または図７に示す、それぞれの考えられる性能に関する少なくとも１ビットを含むビットマップによって送られてよい。
【００６１】
ステップ９２０において、ワイヤレス通信デバイスは、ワイヤレス通信デバイスが２つ以上の性能の組合せをサポートするかどうかを判定する。場合によっては、１つの性能の利用は、ワイヤレス通信デバイスの一定のハードウェアリソースを別の性能に対して使用することができないように、これらのリソースをブロックすることができ、これは、これらの２つの性能は同時にアクティブに利用され得ないことを意味する。他の場合には、２つ以上の性能の同時利用が可能であり得る。これは、これらの性能がどのように利用されるかにも依存し得る。したがって、ステップ９２０の判定は、ワイヤレス通信デバイスの現在の動作条件に依存し得る。
【００６２】
ステップ９３０において、ワイヤレス通信デバイスは、第２の指示をワイヤレス通信ネットワークに提供する。第２の指示は、性能の組合せがワイヤレス通信デバイスによってサポートされるかどうかを示す。言い換えれば、第２の指示は、ステップ９２０の判定の結果を指示し得る。指示された性能および／または性能の指示された、サポートされる組合せのうちの１つまたは複数に基づいて、ワイヤレス通信デバイスは、次いで、少なくとも１つのワイヤレス送信を実行することができる。これは、ワイヤレス通信ネットワークの制御下で達成され得る。
【００６３】
第２の指示は、性能の事前設定された組合せに関して、事前設定された組合せがサポートされるかどうかを示す、少なくとも１つのインジケータを含み得る。たとえば、インジケータは、複数の考えられる組合せのサポートを指示するためのビットマップ内のフラグであってよい。場合によっては、このビットマップは、ワイヤレス通信デバイスの性能を指示するためにステップ９１０で使用されるようなビットマップの拡張であってもよい。拡張されたマップの対応する例が図５に示されている。フラグに加えて、またはその代替として、第２の指示は、性能の事前設定された組合せのサポートのレベル、性能の事前設定された組合せをサポートする選択されるオプション、および／または性能のサポートされる、事前設定された組合せに関する１つまたは複数のパラメータを指示するビットのサブセットを含んでもよい。
【００６４】
いくつかのシナリオでは、第２の指示は、性能の組合せの事前設定されたセットに対する少なくとも１つの制限の指示を含んでもよい。複数の制限が指示される場合、これらの制限は、階層様式で組織化され得る。たとえば、第２の指示は、性能の事前設定されたセットを組合せの第１のサブセットに制限する第１の制限、および組合せの第１のサブセットを組合せの第２のサブセットにさらに制限する第２の制限の指示を含み得る。サポートされる組合せを指示するための制限の利用を示す対応する例が図７および図８に示されている。考えられる組合せおよび制限は、標準化されてよく、またはあるいは、ワイヤレス通信デバイス内で事前設定されてもよい。
【００６５】
第１の指示および第２の指示は、たとえば、図３、図６、および図８に示されるように、異なるメッセージ内でワイヤレス通信デバイスからワイヤレス通信ネットワークに送信され得る。しかしながら、たとえば、図４に示されるように、第１の指示および第２の指示を同じメッセージ内で送ることが同様に可能である。いくつかのシナリオでは、第２の指示は、物理レイヤ制御シグナリングおよび／または媒体アクセス制御レイヤ制御シグナリングによって送信され得る。しかしながら、組合せのサポートを指示する他の方法、たとえば、ＲＲＣシグナリングを同様に利用することができる。
【００６６】
いくつかのシナリオでは、ワイヤレス通信デバイスは、第２の指示によって指示されるように、ワイヤレス通信デバイスによる性能の組合せのサポートの変更が存在することを判定することもできる。この場合、ワイヤレス通信デバイスは、第３の指示をワイヤレス通信ネットワークに送ることができる。第３の指示は、性能の組合せの変更されたサポートを示す。これは、ワイヤレス通信ネットワークに対するワイヤレス接続を維持しながら達成され得る。対応するプロセスの例が図６および図８に示されている。性能の組合せのサポートの変更の判定は、たとえば、ワイヤレス通信デバイスの現在の動作条件に基づく、サポートされる組合せの判定と同様の様式で実行され得る。組合せの変更されたサポートは、組合せのサポートに関して上記で説明したのと同じ方法で指示され得る。
【００６７】
図１０は、ワイヤレス通信ネットワーク、たとえば、セルラーネットワーク内のワイヤレス送信を制御するために使用され得る１つの方法を示すフローチャートを示す。図１０の方法によって、ワイヤレス通信ネットワークの基地局、たとえば、上述の基地局１５０は、上記で説明したような概念を実装し得る。基地局のプロセッサベースの実装が利用される場合、この方法のステップの少なくとも一部分は、基地局の１つまたは複数のプロセッサによって実行および／または制御され得る。
【００６８】
ステップ１０１０において、基地局は、第１の指示をワイヤレス通信デバイスから、たとえば、上述のＵＥ１００から受信する。第１の指示は、ワイヤレス通信デバイスの少なくとも２つの性能のセットを示す。これらの性能は、３ＧＰＰによって指定されるＵＥ性能など、標準化された性能のグループから選択され得る。例として、第１の指示は、たとえば、図２、図５、または図７に示されるように、それぞれの考えられる性能に対する少なくとも１つのビットを含むビットマップによって受信され得る。
【００６９】
ステップ１０２０において、基地局は、第２の指示をワイヤレス通信デバイスから受信する。第２の指示は、ステップ１０１０で指示された性能のうちの少なくとも２つの組合せがワイヤレス通信デバイスによってサポートされるかどうかを示す。言い換えれば、第２の指示は、ステップ９２０に関して説明したような判定の結果を指示し得る。
【００７０】
第２の指示は、性能の事前設定された組合せに関して、事前設定された組合せがサポートされるかどうかを示す少なくとも１つのインジケータを含み得る。たとえば、そのようなインジケータは、フラグであってよく、複数の考えられる組合せのサポートを指示するためのビットマップの一部分であってよい。場合によっては、このビットマップは、ワイヤレス通信デバイスの性能を指示するためにステップ１０１０で使用されたようなビットマップの拡張であってもよい。拡張されたマップの対応する例が図５に示されている。フラグに加えて、またはその代替として、第２の指示は、性能の事前設定された組合せのサポートのレベル、性能の事前設定された組合せのサポートの選択されるオプション、および／または性能のサポートされる、事前設定された組合せに関する１つまたは複数のパラメータを指示するビットのサブセットを含んでもよい。
【００７１】
いくつかのシナリオでは、第２の指示は、性能の組合せの事前設定されたセットに対する少なくとも１つの制限の指示を含んでもよい。複数の制限が指示される場合、これらの制限は、階層的に組織化され得る。たとえば、第２の指示は、性能の事前設定されたセットを組合せの第１のサブセットに制限する第１の制限、および組合せの第１のサブセットを組合せの第２のサブセットにさらに制限する第２の制限の指示を含み得る。サポートされる組合せを指示するための制限の利用を示す対応する例が図７および図８に示されている。考えられる組合せおよび制限は、標準化されてよく、またはあるいは、ワイヤレス通信デバイス内で事前設定されてもよい。
【００７２】
第１の指示および第２の指示は、たとえば、図３、図６、および図８に示されるように、異なるメッセージ内でワイヤレス通信デバイスから基地局に送信され得る。しかしながら、図４に示されるように、第１の指示および第２の指示を同じメッセージ内で送信することが同様に可能である。いくつかのシナリオでは、第２の指示は、物理レイヤ制御シグナリングおよび／または媒体アクセス制御レイヤ制御シグナリングによって送信され得る。しかしながら、組合せのサポートを指示する他の方法、たとえば、ＲＲＣシグナリングを同様に利用することができる。
【００７３】
いくつかのシナリオでは、基地局は、第３の指示をワイヤレス通信デバイスから受信することもできる。第３の指示は、性能の組合せのサポートの変更が存在することを示す。これは、ワイヤレス通信ネットワークに対するワイヤレス接続を維持しながら達成され得る。対応するプロセスの例が図６および図８に示されている。組合せの変更されたサポートは、組合せのサポートに関して上記で説明したのと同じ方法で指示され得る。
【００７４】
ステップ１０３０において、基地局は、ワイヤレス通信デバイスの少なくとも１つのワイヤレス送信を制御する。これは、ステップ１０１０において受信された第１の指示、およびステップ１０２０において受信された第２の指示に応じて達成される。たとえば、これは、指示された性能を利用するワイヤレス通信デバイスの一定のワイヤレス機能をアクティブ化または非アクティブ化することを必要とし得る。
【００７５】
図９および図１０の方法は、たとえば、図９の方法に従って動作する、少なくとも１つのワイヤレス通信デバイスおよび図１０の方法に従って動作する、少なくとも１つの基地局を含むシステム内で組み合わされてもよいことを理解されたい。
【００７６】
図１１は、上記の概念を実装するために利用され得るワイヤレス通信デバイスのプロセッサベースの実装を概略的に示すためのブロック図を示す。ワイヤレス通信デバイスは、たとえば、上述のＵＥ１００など、ＵＥに対応し得る。
【００７７】
示されるように、ワイヤレス通信デバイスは、ワイヤレスインターフェース１１１０、たとえば、無線インターフェースを含む。ワイヤレス通信デバイスは、たとえば、基地局１５０など、ワイヤレス通信ネットワークの基地局を介して、ワイヤレス通信ネットワークに接続するためにワイヤレスインターフェース１１１０を利用することができる。
【００７８】
さらに、ワイヤレス通信デバイスには１つまたは複数のプロセッサ１１４０およびメモリ１１５０が提供される。ワイヤレスインターフェース１１１０、およびメモリ１１５０は、たとえば、ワイヤレス通信デバイスの１つまたは複数の内部バスシステムを使用してプロセッサ１１４０に結合される。
【００７９】
メモリ１１５０は、プロセッサ１１４０によって実行されるプログラムコードを備えたプログラムコードモジュール１１６０、１１７０を含む。示される例では、これらのプログラムコードモジュールは、通信制御モジュール１１６０および性能管理モジュール１１７０を含む。
【００８０】
通信制御モジュール１１６０は、ワイヤレス通信デバイスの１つまたは複数の性能に基づいてワイヤレス送信を制御する機能性を実装することができる。性能管理モジュール１１７０は、性能をワイヤレス通信ネットワークに指示し、性能の１つまたは複数のサポートされる組合せを判定し、サポートされる組合せをワイヤレス通信ネットワークに指示する、上記の機能性を実装することができる。
【００８１】
図１１に示される構造は、単なる例であり、ワイヤレス通信デバイスは、示されていない他の要素、たとえば、ＵＥまたは他のタイプのワイヤレス通信デバイスの知られている機能性を実装するための構造またはプログラムコードモジュールを含んでもよいことを理解されたい。
【００８２】
図１２は、上記の概念を実装するために利用され得る基地局のプロセッサベースの実装を概略的に示すためのブロック図を示す。基地局は、たとえば、上述の基地局１５０に対応し得る。
【００８３】
示されるように、基地局は、ワイヤレスインターフェース１２１０、たとえば、無線インターフェースを含む。基地局は、少なくとも１つのワイヤレス通信デバイス、たとえば、ＵＥ１００などのＵＥに接続するために、ワイヤレスインターフェース１２１０を利用することができる。
【００８４】
さらに、基地局には１つまたは複数のプロセッサ１２４０およびメモリ１２５０が提供される。ワイヤレスインターフェース１２１０およびメモリ１２５０は、たとえば、基地局の１つまたは複数の内部バスシステムを使用してプロセッサ１２４０に結合される。
【００８５】
メモリ１２５０は、プロセッサ１２４０によって実行されるプログラムコードを備えたプログラムコードモジュール１２６０、１２７０を含む。示される例では、これらのプログラムコードモジュールは、通信制御モジュール１２６０および性能管理モジュール１２７０を含む。
【００８６】
通信制御モジュール１２６０は、ワイヤレス通信デバイスの１つまたは複数の性能に基づいて、一定のワイヤレス通信デバイスのワイヤレス送信を制御する機能性を実装することができる。性能管理モジュール１２７０は、ワイヤレス通信デバイスの性能、およびこれらの性能の１つまたは複数のサポートされる組合せの指示をワイヤレス通信デバイスから受信する上記の機能性を実装することができる。
【００８７】
図１２に示される構造は単なる例であり、基地局は、示されていない他の要素、たとえば、基地局の知られている機能性を実装するための構造またはプログラムコードモジュールを含んでもよいことを理解されたい。
【００８８】
上記で説明された概念は、様々な改変が可能であることを理解されたい。たとえば、これらの概念は、様々な種類のワイヤレス通信技術およびデバイスに関して適用され得る。さらに、これらの概念は、様々なタイプの性能に関して適用され得る。
【図１】
2020184777.tif 000003
【図２】
2020184777.tif 000004
【図３】
2020184777.tif 000005
【図４】
2020184777.tif 000006
【図５】
2020184777.tif 000007
【図６】
2020184777.tif 000008
【図７】
2020184777.tif 000009
【図８】
2020184777.tif 000010
【図９】
2020184777.tif 000011
【図１０】
2020184777.tif 000012
【図１１】
2020184777.tif 000013
【図１２】
2020184777.tif 000014
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
明細書に記載の発明。
【手続補正２】
【補正対象書類名】明細書
【補正対象項目名】００８８
【補正方法】変更
【補正の内容】
【００８８】
上記で説明された概念は、様々な改変が可能であることを理解されたい。たとえば、これらの概念は、様々な種類のワイヤレス通信技術およびデバイスに関して適用され得る。さらに、これらの概念は、様々なタイプの性能に関して適用され得る。
＜本発明の更なる実施態様＞
［実施態様１］
ワイヤレス通信デバイス（１００）が第１の指示をワイヤレス通信ネットワークに提供することであって、前記第１の指示が、前記ワイヤレス通信デバイス（１００）の少なくとも２つの性能のセットを示す、前記第１の指示を提供することと、
前記ワイヤレス通信デバイスが（１００）が、前記ワイヤレス通信デバイス（１００）が前記性能のうちの２つ以上の組合せをサポートするかどうかを判定することと、
前記ワイヤレス通信デバイスが（１００）が第２の指示を前記ワイヤレス通信ネットワークに提供することであって、前記第２の指示が、前記性能の組合せが前記ワイヤレス通信デバイス（１００）によってサポートされるかどうかを示す、前記第２の指示を提供することと、
を含む、方法。
［実施態様２］
前記ワイヤレス通信ネットワークに対するワイヤレス接続を維持しながら、前記ワイヤレス通信デバイス（１００）が、前記ワイヤレス通信デバイス（１００）の前記性能の組合せのサポートが変更されたと判定することと、第３の指示を前記ワイヤレス通信ネットワークに送ることであって、前記第３の指示が、前記性能の組合せの前記変更されたサポートを示す、送ることと、
を含む、実施態様１に記載の方法。
［実施態様３］
前記ワイヤレス通信デバイス（１００）が、前記ワイヤレス通信デバイス（１００）の現在の動作条件に応じて、前記性能の組合せが前記ワイヤレス通信デバイス（１００）によってサポートされるかどうかを判定する、
実施態様１または２に記載の方法。
［実施態様４］
前記第２の指示が、前記性能の事前設定された組合せに関して、前記事前設定された組合せがサポートされるかどうかを示す、少なくとも１つのインジケータを含む、
実施態様１から３のいずれか一項に記載の方法。
［実施態様５］
前記第２の指示が、性能の組合せの事前設定されたセットに対する少なくとも１つの制限の指示を含む、
実施態様１から４のいずれか一項に記載の方法。
［実施態様６］
前記第２の指示が、前記性能の事前設定されたセットを組合せの第１のサブセットに制限する第１の制限、および組合せの前記第１のサブセットを組合せの第２のサブセットにさらに制限する第２の制限の指示を含む、
実施態様５に記載の方法。
［実施態様７］
前記第１の指示および前記第２の指示が、同じメッセージ内で、または異なるメッセージ内で前記ワイヤレス通信デバイス（１００）から前記基地局ワイヤレス通信ネットワークに送信される、
実施態様１から６のいずれか一項に記載の方法。
［実施態様８］
前記第２の指示が、物理レイヤ制御シグナリングおよび／または媒体アクセス制御レイヤ制御シグナリングによって送信される、
実施態様１から７のいずれか一項に記載の方法。
［実施態様９］
ワイヤレス通信ネットワークの基地局（１５０）が、ワイヤレス通信デバイス（１００）の少なくとも２つの性能のセットを示す第１の指示を前記ワイヤレス通信デバイス（１００）から受信することと、
前記基地局（１５０）が第２の指示を前記ワイヤレス通信デバイス（１００）から受信することであって、前記第２の指示が、前記性能のうちの２つ以上の組合せが前記ワイヤレス通信デバイス（１００）によってサポートされるかどうかを示す、受信することと、
前記第１の指示および前記第２の指示に応じて、前記基地局（１５０）が、前記ワイヤレス通信デバイス（１００）の少なくとも１つのワイヤレス送信を制御することと、
を含む、方法。
［実施態様１０］
前記ワイヤレス通信デバイス（１００）に対するワイヤレス接続を維持しながら、前記基地局（１５０）が、第３の指示を前記ワイヤレス通信デバイス（１００）から受信することであって、前記第３の指示が、前記ワイヤレス通信デバイス（１００）による前記性能の組合せのサポートが変更されたことを示す、受信すること
を含む、実施態様９に記載の方法。
［実施態様１１］
前記第２の指示が、前記性能の事前設定された組合せに関して、前記事前設定された組合せがサポートされているかどうかを示す少なくとも１つのインジケータを含む、
実施態様９または１０に記載の方法。
［実施態様１２］
前記第２の指示が、性能の組合せの事前設定されたセットに対する少なくとも１つの制限の指示を含む、
実施態様９から１１のいずれか一項に記載の方法。
［実施態様１３］
前記第２の指示が、前記性能の事前設定されたセットを組合せの第１のサブセットに制限する第１の制限、および組合せの前記第１のサブセットを組合せの第２のサブセットにさらに制限する第２の制限の指示を含む、
実施態様１２に記載の方法。
［実施態様１４］
前記第１の指示および前記第２の指示が、同じメッセージ内で、または異なるメッセージ内で前記ワイヤレス通信デバイス（１００）から前記基地局（１５０）に送信される、
実施態様９から１３のいずれか一項に記載の方法。
［実施態様１５］
前記第２の指示が、物理レイヤ制御シグナリングおよび／または媒体アクセス制御レイヤ制御シグナリングによって送信される、
実施態様８から１２のいずれか一項に記載の方法。
［実施態様１６］
ワイヤレス通信デバイス（１００）であって、
ワイヤレス通信ネットワークに接続するためのワイヤレスインターフェース（１１１０）と、
１つまたは複数のプロセッサ（１１４０）とを備え、前記１つまたは複数のプロセッサ（１１４０）が、
第１の指示を前記ワイヤレス通信ネットワークに提供することであって、前記第１の指示が、前記ワイヤレス通信デバイス（１００）の少なくとも２つの性能のセットを示す、前記第１の指示を提供することと、
前記ワイヤレス通信デバイス（１００）が前記性能のうちの２つ以上の組合せをサポートするかどうかを判定することと、
第２の指示を前記ワイヤレス通信ネットワークに提供することであって、前記第２の指示が、前記性能の組合せが前記ワイヤレス通信デバイス（１００）によってサポートされるかどうかを示す、前記第２の指示を提供することと
を行うように設定される、ワイヤレス通信デバイス（１００）。
［実施態様１７］
前記少なくとも１つのプロセッサ（１１４０）が、実施態様１から８のいずれか一項に記載の方法の前記ステップを実行するように設定される
実施態様１６に記載のワイヤレス通信デバイス（１００）。
［実施態様１８］
ワイヤレス通信ネットワークのための基地局（１５０）であって、
ワイヤレス通信デバイス（１００）に接続するためのワイヤレスインターフェース（１２１０）と、
１つまたは複数のプロセッサ（１２４０）とを備え、前記１つまたは複数のプロセッサ（１２４０）が、
前記ワイヤレス通信デバイス（１００）の少なくとも２つの性能のセットを示す第１の指示を前記ワイヤレス通信デバイス（１００）から受信することと、
第２の指示を前記ワイヤレス通信デバイス（１００）から受信することであって、前記第２の指示が、前記性能のうちの２つ以上の組合せが前記ワイヤレス通信デバイス（１００）によってサポートされるかどうかを示す、前記第２の指示を受信することと、
前記第１の指示および前記第２の指示に応じて、前記ワイヤレス通信デバイス（１００）の少なくとも１つのワイヤレス送信を制御することと、
を行うように設定される、基地局（１５０）
［実施態様１９］
前記少なくとも１つのプロセッサ（１２４０）が、実施態様９から１５のいずれか一項に記載の方法の前記ステップを実行するように設定される、
実施態様１８に記載の基地局（１５０）。
［実施態様２０］
システムであって、
ワイヤレス通信デバイス（１００）および基地局（１５０）
を備え、
前記ワイヤレス通信デバイス（１００）が、
第１の指示を前記基地局（１５０）に提供することであって、前記第１の指示が、前記ワイヤレス通信デバイス（１００）の少なくとも２つの性能のセットを示す、前記第１の指示を提供することと、
前記ワイヤレス通信デバイス（１００）が前記性能のうちの２つ以上の組合せをサポートするかどうかを判定することと、
第２の指示を前記基地局（１５０）に提供することであって、前記第２の指示が、前記性能の組合せが前記ワイヤレス通信デバイス（１００）によってサポートされるかどうかを示す、前記第２の指示を提供することと
を行うように設定され、
前記基地局（１５０）が、
前記第１の指示および前記第２の指示を受信し、
前記第１の指示および前記第２の指示に応じて、前記ワイヤレス通信デバイス（１００）の少なくとも１つのワイヤレス送信を制御する、
ように設定される、システム。
【外国語明細書】
2020184777000001.pdf